(57)【特許請求の範囲】
【請求項１】
各機器にフレキシブルチューブの端部を接続する配管機構において、上記機器の接続個所の３次元座標記号と、上記接続個所に接続される上記フレキシブルチューブの端部の上記接続個所に対する方位記号とを示す識別記号を上記接続個所に対応する上記フレキシブルチューブの端部に表示し、上記フレキシブルチューブの端部を上記接続個所へ接続するようにしたフレキシブルチューブ接続方法。
【発明の詳細な説明】
【０００１】
【発明の属する技術分野】
本発明は、車両等において、各機器に複数のフレキシブルチューブを接続する場合、そのフレキシブルチューブを誤りなく接続できるようにする方法に関する。
【０００２】
【従来の技術】
車両のエアブレーキシステム等において、フレキシブルチューブによりエア配管をする場合、従来は、特開平１０−２１７９４９号公報に例示されているように、エアタンクへ接続すべきフレキシブルチューブの端部に着色した識別テープを巻き付け、または、エアタンクとそれに接続すべきフレキシブルチューブの端部とにそれぞれ同色の識別テープを付けておくことにより、エアタンクに各フレキシブルチューブの端部をそれぞれ誤りなく接続するようにしている。
【０００３】
しかしながら、前者の場合は、識別しやすくて使用可能な色数が比較的少ないため、１つの機器に多くのフレキシブルチューブの端部を接続するときには色数が不足して、結果的には、すべてのフレキシブルチューブの端部をそれぞれ正確に接続することが難しくなり、また、後者の場合には、とくに各フレキシブルチューブの端部を接続する複数の機器が同一構造のとき、それらの機器に異なった色の識別テープを付けることは部品管理上きわめて困難であるため、いずれの場合も、作業者は各機器に対する配管図面を見ながら各機器の接続個所に合った各フレキシブルチューブの端部をそれぞれ個々に接続していく必要があるので、作業性が著しく阻害されると共に、誤接続の生じるおそれが残るという問題があった。
【０００４】
【発明が解決しようとする課題】
本発明は、車両等において、各機器に複数のフレキシブルチューブを接続する場合、それらのフレキシブルチューブを常に誤りなく接続できるようにしようとするものである。
【０００５】
【課題を解決するための手段】
この目的を達成するため、本発明にかかるフレキシブルチューブ接続方法は、各機器にフレキシブルチューブの端部を接続する配管機構において、上記機器の接続個所の３次元座標記号と、上記接続個所に接続される上記フレキシブルチューブの端部の上記接続個所に対する方位記号とを示す識別記号を上記接続個所に対応する上記フレキシブルチューブの端部に表示し、上記フレキシブルチューブの端部を上記接続個所へ接続するようにしている。
【０００６】
すなわち、各機器の接続個所を示す識別記号として、接続個所の３次元座標記号と、接続個所に接続されるフレキシブルチューブの端部の接続個所に対する方位記号とをその接続個所に対応するフレキシブルチューブの端部に表示しておき、フレキシブルチューブの端部に表示された３次元座標記号及び方位記号の識別記号に従って、その識別記号に対応した各機器の接続個所へフレキシブルチューブの端部を接続するため、各機器におけるフレキシブルチューブの端部の接続個所がいくら多く、また、機器の外周面に散らばっていても、各機器の接続個所に対しそれぞれ対応したフレキシブルチューブの端部を常に正しく、かつ、容易に接続することが可能となる。
【０００７】
【発明の実施の形態】
以下、本発明の実施形態例について説明する。
車両に装備されたエア配管機構、例えば、エアブレーキ、エアサスペンション、エア式トランスミッション制御装置等における配管機構の一部を示す図１において、リレーバルブ１のコネクタ２、３、４、５、６にそれぞれナイロンチューブ等からなるフレキシブルチューブ７、８、９、１０、１１の各端部が接続されていると共に、ダブルチェックバルブ１２及びリレーバルブ１３が一体的に連結された機器１４のコネクタ１５、１６、１７、１８、１９にそれぞれフレキシブルチューブ２０、２１、２２、２３、８の各端部が接続されており、コネクタ２、３、４、５、６、１５、１６、１７、１８、１９にそれぞれ接続されたフレキシブルチューブ７、８、９、１０、１１、２０、２１、２２、２３の各端部に、それぞれ後記識別記号及び識別色が表示されている。
【０００８】
すなわち、フレキシブルチューブ７、８、９、１０、１１、２０、２１、２２、２３の各端部にそれぞれ表示された識別記号は、基本的には、各機器１、１４における各フレキシブルチューブ接続個所の３次元座標記号と、各フレキシブルチューブ接続個所からそれぞれフレキシブルチューブが延び出す方向を示す方位記号とからなる２〜６桁の英数字を有している。
【０００９】
座標記号は、図２のように、車両前方から車両後方への方向を示すＸ軸と、下方から上方への方向を示すＹ軸と、車両左方から車両右方への方向を示すＺ軸とからなる方向性をもった３次元軸、及び、各軸の方向における順番により決められ、方位記号は、図３のように、車両前方Ｆ、車両後方Ｂ、車両左方Ｌ、車両右方Ｒ、上方Ｕ、下方Ｄをそれぞれ単独に使用して、それぞれの方位を示し、もしくは、それらのうちの２字を組み合わせることにより、その２字がそれぞれ示す方向の中間である斜めの方位を表示させるようにしている。
【００１０】
上記座標記号の具体的な表示方法は次のとおりとする。
▲１▼１桁目は、座標点を決めやすい方位軸Ｘ、Ｙ、Ｚのいずれか１つを選ぶ。
▲２▼２桁目は、１桁目の軸の方向における順番を正の整数で示す。
▲３▼必要に応じ、３桁目及び４桁目として、それぞれ１桁目以外の軸のいず
れか１つと、その軸の方向における順番を示す正の整数とを示す。
【００１１】
また、上記方位記号は座標記号に続く最後の１桁または２桁として上記英字Ｆ、Ｂ、Ｌ、Ｒ、Ｕ、Ｄを使用する。
【００１２】
識別色は、リレーバルブ１、機器１４等の機種毎に異なった色を選定する。
【００１３】
従って、リレーバルブ１のもっとも車両前方（図１の左方）で下方から２番目に位置するコネクタ２へ接続されて、そのコネクタ２から車両の左上方へ斜めに延び出すフレキシブルチューブ７の端部には、識別記号としてＸ１Ｚ２ＬＵが表示され、リレーバルブ１のもっとも車両前方で下方から１番目に位置するコネクタ３へ接続されて、そのコネクタ３から車両の左上方へ斜めに延び出すフレキシブルチューブ８の後端部には、識別記号としてＸ１Ｚ１ＬＵが表示され、リレーバルブ１の車両前方から２番目に位置するコネクタ４へ接続されて、そのコネクタ４から車両前方へ延び出すフレキシブルチューブ９の端部には、識別記号としてＸ２Ｆが表示され、リレーバルブ１の車両前方から３番目で下方から２番目に位置するコネクタ５へ接続されて、そのコネクタ５から車両の後上方へ斜めに延び出すフレキシブルチューブ１０の端部には、識別記号としてＸ３Ｚ２ＢＵが表示され、リレーバルブ１の車両前方から３番目で下方から１番目に位置するコネクタ６へ接続されて、そのコネクタ６から車両後方（図１の右方）へ延び出すフレキシブルチューブ１１の端部には、識別記号としてＸ３Ｚ１Ｂが表示され、かつ、リレーバルブ１向けとして各フレキシブルチューブ７、８、９、１０、１１の端部にそれぞれ識別色として同じ赤色が表示されている。
【００１４】
また、同様にして、機器１４のもっとも車両前方（図１の左方）に位置するコネクタ１５へ接続されて、そのコネクタ１５から車両前方へ延び出すフレキシブルチューブ２０の端部には、識別記号としてＸ１Ｆが表示され、機器１４の車両前方から２番目に位置するコネクタ１６へ接続されて、そのコネクタ１６から車両の左上方へ斜めに延び出すフレキシブルチューブ２１の端部には、識別記号としてＸ２ＬＵが表示され、機器１４の車両前方から３番目に位置するコネクタ１７へ接続されて、そのコネクタ１７から車両前方へ延び出すフレキシブルチューブ２２の端部には、識別記号としてＸ３Ｆが表示され、機器１４の車両前方から４番目に位置するコネクタ１８へ接続されて、そのコネクタ１８から車両後方（図１の右方）へ延び出すフレキシブルチューブ８の前端部には、識別記号としてＸ４Ｂが表示され、機器１４の車両前方から５番目に位置するコネクタ１９へ接続されて、そのコネクタ１９から車両の左上方へ斜めに延び出すフレキシブルチューブ２３の端部には、識別記号としてＸ５ＬＵが表示され、かつ、機器１４向けとしてフレキシブルチューブ２０、２１、２２、８、２３の各端部にそれぞれ識別色として同じ緑色が表示されている。
【００１５】
図４に一例が代表的に示されているように、コネクタａに接続されるフレキシブルチューブｂの端部周面には、コネクタａ内へフレキシブルチューブｂが挿入される寸法ｃよりもフレキシブルチューブｂの端面ｄから少し離れた位置に、上記識別記号を印刷した接着テープｅと、上記識別色を有する接着テープｆとが巻き付けられている。なお、コネクタａにおいて、ａ１は本体、ａ２はシールゴム、ａ３は抜け止めコレット、ａ４は本体ａ１にかしめられたケースをそれぞれ示している。
【００１６】
また、実際には図５で模型的に例示されているように、フレキシブルチューブ７、８、９、１０、１１、２０、２１、２２、２３等は多数のフレキシブルチューブが１本の太い束３０にまとめられていて、リレーバルブ１や機器１４等の近辺でそれぞれの機器に接続されるべきフレキシブルチューブの各端部が束３０から枝分かれするように構成されている。
【００１７】
すなわち、フレキシブルチューブ７、８、９、１０、１１の各端部には、それぞれ上記識別記号を印刷した接着テープｅが巻き付けられて、リレーバルブ１に対する各端部の接続位置と、リレーバルブ１から各フレキシブルチューブが延び出す方向とが明示されているので、リレーバルブ１にフレキシブルチューブ７、８、９、１０、１１の各端部を接続する場合には、リレーバルブ１の近辺でフレキシブルチューブ束３０から枝分かれしているフレキシブルチューブ７、８、９、１０、１１の各端部を、接着テープｅで表示されたそれぞれの識別記号に従い、リレーバルブ１における各コネクタ２、３、４、５、６へそれぞれ常に正しく、かつ、容易に接続することが可能となり、また同様にして、フレキシブルチューブ２０、２１、２２、８、２３の各端部には、それぞれ上記識別記号を印刷した接着テープｅが巻き付けられて、機器１４に対する各端部の接続位置と、機器１４から各フレキシブルチューブが延び出す方向とが明示されているので、機器１４にフレキシブルチューブ２０、２１、２２、８、２３の各端部を接続する場合には、機器１４の近辺でフレキシブルチューブ束３０から枝分かれしているフレキシブルチューブ２０、２１、２２、８、２３の各端部を、接着テープｅで表示されたそれぞれの識別記号に従い、機器１４における各コネクタ１５、１６、１７、１８、１９へそれぞれ常に正しく、かつ、容易に接続することが可能となる。
【００１８】
従って、リレーバルブ１及び機器１４に対する各フレキシブルチューブ７、８、９、１０、１１、２０、２１、２２、２３の接続作業をきわめて迅速に行うことができるばかりでなく、誤接続の生じるおそれを簡単に解消することができ、このため、作業者はリレーバルブ１や機器１４等に対する配管図面を見ながらそれぞれの機器に各フレキシブルチューブの端部を接続する必要性が省略できて、フレキシブルチューブの接続作業性を従来よりも大幅に改善できる長所がある。
【００１９】
また、フレキシブルチューブ７、８、９、１０、１１、２０、２１、２２、２３の各端部には、それぞれ識別色として赤色または緑色を表示した接着テープｆが巻き付けられていて、この面からも、リレーバルブ１及び機器１４に対するフレキシブルチューブ７、８、９、１０、１１、２０、２１、２２、２３の端部誤接続を防止しやすいと共に、リレーバルブ１及び機器１４にフレキシブルチューブ７、８、９、１０、１１、２０、２１、２２、２３の各端部が接続されたとき、リレーバルブ１及び機器１４に接続されたフレキシブルチューブ７、８、９、１０、１１、２０、２１、２２、２３の各端部にそれぞれ同色の接着テープｆが巻き付けられているかどうかをチェックすることにより、リレーバルブ１及び機器１４にフレキシブルチューブ７、８、９、１０、１１、２０、２１、２２、２３の各端部がそれぞれ正確に接続されていることを容易に検査することができるという特色がある。
【００２０】
なお、上記実施形態例における識別記号は、それに含まれる各記号の順番や表示内容、及びまたは、方位の向き表示を逆向きに適宜変更できることはいうまでもなく、さらに、各機器に接続するフレキシブルチューブの各端部に表示する識別記号としては、各機器外面の車両前方側中央等のように適宜定めた基準点から、例えば各機器の外周面を時計回りの順番でそれぞれフレキシブルチューブの端部を接続すべきコネクタの位置を表示するものとし、あるいは、適宜の経度及び緯度によりそれぞれフレキシブルチューブの端部を接続すべきコネクタの位置を表示するようにしてもよく、また、上記各実施形態例における識別記号の表示形式としては、識別記号を印刷した接着テープによる外、ペンキ書きや刻印によることも可能である。
【００２１】
また、上記実施形態例における識別色はそれぞれ適宜変更できるのはいうまでもなく、さらに、識別色の表示形式としては、識別色を有する接着テープによる外、識別記号が印刷された接着テープを着色して兼用したり、ペンキ書きやフレキシブルチューブ自身の着色によることも可能であり、さらに、フレキシブルチューブ自身の着色と接着テープやペンキ書きによる識別色の表示とを適宜組み合わせることにより、結果的に識別色の種類を容易に増加させることもできるものである。
【００２２】
あるいはまた、検査の容易化を図るため、同種の複数機器に接続するフレキシブルチューブの各端部にそれぞれ同じ識別色を付けるようにしても、それらの機器が配置される相互間隔に合わせてフレキシブルチューブ束から枝分かれする各フレキシブルチューブ端部の位置を決めておくようにすれば、同じ識別色が付けられた各フレキシブルチューブ端部の各機器に対する誤接続は自動的に防止することが可能となるものである。
【００２３】
【発明の効果】
本発明にかかるフレキシブルチューブ接続方法によれば、フレキシブルチューブの端部に表示された接続個所の３次元座標記号、及び、接続個所に対する方位記号の識別記号に従って、その識別記号に対応した各機器の接続個所へフレキシブルチューブの端部を接続するため、各機器の接続個所に対しそれぞれ対応したフレキシブルチューブの端部を常に正しく、かつ、容易に接続することが可能となるので、各機器に対する各フレキシブルチューブ端部の接続に誤りの生じるおそれを簡単に解消することができて、それらの接続作業性を従来よりも大幅に改善することができる。
【図面の簡単な説明】
【図１】本発明の実施形態例における配管系統図。
【図２】上記実施形態例の識別記号説明図。
【図３】上記実施形態例の識別記号説明図。
【図４】上記実施形態例における要部縦断面図。
【図５】上記実施形態例における一部側面図。
【符号の説明】
１  リレーバルブ
２、３、４、５、６  コネクタ
７、８、９、１０、１１  フレキシブルチューブ
１４  機器
１５、１６、１７、１８、１９  コネクタ
２０、２１、２２、２３  フレキシブルチューブ
３０  フレキシブルチューブ束
【図１】
0003797051.tif 000002
【図２】
0003797051.tif 000003
【図３】
0003797051.tif 000004
【図４】
0003797051.tif 000005
【図５】
0003797051.tif 000006